(57)【特許請求の範囲】
【請求項１】
時間経過に応じて変化するエネルギ量に関する定量情報を表示するための表示装置であって、
前記定量情報を取得するための取得部と、
前記定量情報をユーザが視認可能な態様で表示するための表示部と、
前記表示部における前記定量情報の更新周期を制御するための更新制御部とを備え、
前記表示部は、前記定量情報の現在の表示値の表示時間が前記更新周期を超えると、前記取得部によって取得された前記定量情報の現在値を新たに表示するように表示を更新し、
前記更新制御部は、前記定量情報についての前記現在の表示値に対する前記現在値の変化量に応じて、前記変化量が大きいときには前記変化量が小さいときよりも前記更新周期を短くし、
前記定量情報は、複数のデータ値を含み、
前記表示部は、前記複数のデータ値の現在の表示値の表示時間が前記更新周期を超えると、前記複数のデータ値の各々について前記取得部によって取得された現在値を新たに表示し、
前記更新制御部は、前記複数のデータ値の各々について前記現在の表示値に対する前記現在値の変化量を算出し、算出された各データ値の変化量を総合して前記更新周期を変化させる、表示装置。
【請求項２】
前記取得部は、第１の時間が経過する毎に前記定量情報を取得し、
前記更新制御部は、前記更新周期を前記第１の時間以上の範囲で変化させる、請求項１記載の表示装置。
【請求項３】
前記第１の時間は、前記表示装置とは異なる他の機器から前記定量情報を受信する周期である、請求項２記載の表示装置。
【発明の詳細な説明】
【技術分野】
【０００１】
この発明は、表示装置に関し、より特定的には、時間経過に応じて変化するエネルギ量に関する定量情報を画面表示する制御に関する。
【背景技術】
【０００２】
エネルギ量に関する情報をユーザがモニタするための表示装置が、特許第４８７６８９２号公報（特許文献１）等に記載されている。特許文献１では、エネルギ料金が異なる複数の時間帯毎に表示を切換えることが記載されている。
【０００３】
また、特開２０１５−６９３９０号公報（特許文献２）には、対比される２つのエネルギ使用量の大小を視覚的に一目で把握するための表示装置が開示されている。同様に、特開２０１５−７０６９４号公報（特許文献３）には、商用電源系統に系統連系された発電装置において、現在の売電／買電の状況を視覚的に一目で把握するための表示装置が開示されている。
【先行技術文献】
【特許文献】
【０００４】
【特許文献１】特許第４８７６８９２号公報
【特許文献２】特開２０１５−６９３９０号公報
【特許文献３】特開２０１５−７０６９４号公報
【発明の概要】
【発明が解決しようとする課題】
【０００５】
上記のような表示装置において、エネルギ量に関する定量情報は時間経過に応じて更新表示される。しかしながら、表示の更新周期を一定値に固定すると、短時間で大きく変動する情報については、表示の更新の遅さにユーザが不満を感じる虞がある。一方で、変動が少ない情報に関しては、表示が頻繁に変わることをユーザが煩わしく感じることが懸念される。
【０００６】
この発明はこのような問題点を解決するためになされたものであって、その目的は、エネルギ量に関する定量情報を、時間経過に応じて適時に更新表示することである。
【課題を解決するための手段】
【０００７】
この発明のある局面では、表示装置は、時間経過に応じて変化するエネルギ量に関する定量情報を表示するための表示装置であって、取得部と、表示部と、更新制御部とを備える。取得部は、定量情報を取得する。表示部は、定量情報をユーザが視認可能な態様で表示する。更新制御部は、表示部における定量情報の更新周期を制御する。表示部は、定量情報の現在の表示値の表示時間が更新周期を超えると、取得部によって取得された定量情報の現在値を新たに表示するように構成される。更新制御部は、定量情報についての現在の表示値に対する現在値の変化量に応じて、変化量が大きいときには変化量が小さいときよりも更新周期を短くする。
【０００８】
上記表示装置によれば、エネルギに関連する定量情報を画面表示する際において、定量情報についての現在の表示値に対する現在値の変化量が大きいときには、表示の更新周期を短く設定する一方で、変化量が小さい場合には更新周期を長く設定することができる。したがって、変化量が小さいときに表示が頻繁に変わることによってユーザに煩わしさを感じさせること、および、変化量が大きいときに表示の更新の遅さにユーザが不満を感じることを抑制するように、定量情報を時間経過に応じて適時に更新表示することができる。これにより、ユーザの利便性を高めることができる。
【０００９】
好ましくは、取得部は、第１の時間が経過する毎に定量情報を取得する。更新制御部は、更新周期を第１の時間以上の範囲で変化させる。さらに好ましくは、第１の時間は、表示装置とは異なる他の機器から定量情報を受信する周期である。
【００１０】
このようにすると、定量情報の現在値が、一定の周期で取得ないし受信されることによって更新される構成において、更新周期を適切な範囲内で制御することができる。
【００１１】
また好ましくは、定量情報は、複数のデータ値を含む。表示部は、複数のデータ値の現在の表示値の表示時間が更新周期を超えると、複数のデータ値の各々について取得部によって取得された現在値を新たに表示する。更新制御部は、複数のデータ値の各々について現在の表示値に対する現在値の変化量を算出し、算出された各データ値の変化量を総合して更新周期を変化させる。
【００１２】
このようにすると、複数のデータ値が定量情報として一括表示される構成において、複数のデータ値の表示の更新周期を適切に設定することができる。
【発明の効果】
【００１３】
この発明によれば、エネルギ量に関する定量情報を、時間経過に応じて適時に更新表示することができる。
【図面の簡単な説明】
【００１４】
【図１】本発明の実施の形態に従う表示装置が適用されるエネルギシステムの構成例を示すブロック図である。
【図２】本実施の形態に従う表示装置におけるデータ表示の画面例を示す概念図である。
【図３】本発明の実施の形態に従う表示装置における表示内容の更新に係る制御処理を説明するフローチャートである。
【図４】更新周期の可変設定の一例を説明する概念図である。
【発明を実施するための形態】
【００１５】
以下に、本発明の実施の形態について図面を参照して詳細に説明する。なお以下では、図中の同一または相当部分には同一符号を付して、その説明は原則的には繰返さないものとする。
【００１６】
図１は、本発明の実施の形態に従う表示装置が適用されるエネルギシステムの構成例を示すブロック図である。
【００１７】
図１を参照して、エネルギシステム１００は、ユーザインタフェースのためのリモートコントロール装置２００（以下、単に「リモコン２００」とも称する）へのユーザ入力に応じて制御される。以下の説明で明らかになるように、図１に例示されたエネルギシステム１００は、コージェネレーションシステムとして構成されている。
【００１８】
エネルギシステム１００は、発電ユニット２０と、ソーラ電池パネル２６とを発電要素として備える。ソーラ電池パネル２６による発電電力は、パワーコンディショナ２７によって、系統電源と同等の交流電力に変換された後、分電盤２８に送られる。
【００１９】
発電ユニット２０は、作動時には、系統電源と同等の交流電力を分電盤２８へ送出する。たとえば、発電ユニット２０は、ガスを改質して水素を得る燃料電池および当該燃料電池による発電電力（直流電力）を上記交流電力に変換する電力変換器によって構成される。あるいは、発電ユニット２０は、ガスを燃料とするエンジン、当該エンジンの出力によって発電する発電機、および、発電機の出力電力を上記交流電力に変換する電力変換器によって構成することも可能である。
【００２０】
分電盤２８は、家屋内の各所に配置された電気負荷２５へ電力を分配する。電気負荷２５は、たとえば、冷蔵庫、空調機器、調理器具、照明器具等の電気機器類を含む。電気負荷２５による使用電力は、電力計２９ｄによって計測することができる。
【００２１】
発電ユニット２０およびパワーコンディショナ２７から分電盤２８へ出力された発電電力よりも、分電盤２８から電気負荷２５へ供給される使用電力が大きい場合には、不足分の電力が系統電源より買電される。反対に、発電電力が消費電力よりも大きい場合には、太陽光発電による発電電力のうち、余剰分の電力が系統電源へ売電される。売電電力および買電電力は、電力量計２９ａを用いて計測することができる。
【００２２】
なお、図示は省略しているが、発電ユニット２０およびパワーコンディショナ２７の各々には、出力制御のために実際の発電電力を検出するためのセンサ類が配置されている。すなわち、電力量計２９ａおよび電力計２９ｄの出力によらず、発電ユニット２０およびパワーコンディショナ２７の発電電力を検出することも可能である。
【００２３】
また、電力量計２９ａを用いて検知された売電電力または買電電力と、発電ユニット２０およびパワーコンディショナ２７からの情報によって検知された発電電力との差から、電気負荷２５による使用電力を求めることも可能である。この場合には、電力計２９ｄの配置を不要とすることが可能である。
【００２４】
エネルギシステム１００は、さらに、熱交換器を有する加熱装置２１と、貯湯タンク２２と、補助熱源機２３と、コントローラ２４とを備える。
【００２５】
加熱装置２１は、発電ユニット２０からの排熱を利用した熱交換によって、入水を加熱することによって温水を生成する。加熱装置２１で生成された温水は貯湯タンク２２に貯留される。補助熱源機２３は、たとえば、ガス燃焼方式の熱源機によって構成される。貯湯タンク２２に貯留された温水は、補助熱源機２３によって加熱され、または加熱されることなく所定温度に調整されて、一般給湯用に用いられる。
【００２６】
エネルギシステム１００への入水量は、水量計２９ｃによって計測される。また、発電ユニット２０および補助熱源機２３における燃料ガスの使用量は、ガス流量計２９ｂによって計測される。さらに、出湯経路に設けられた流量センサ２９ｅの検出値に基づいて、給湯量を算出することも可能である。
【００２７】
エネルギシステム１００の各部の動作は、リモコン２００へのユーザ指示（運転オン／オフおよび温度設定、時刻設定等）に従ってエネルギシステム１００が動作するように、コントローラ２４によって制御される。コントローラ２４は、代表的には、マイクロコンピュータによって構成される。
【００２８】
また、電力量計２９ａ、ガス流量計２９ｂ、水量計２９ｃ、電力計２９ｄおよび、流量センサ２９ｅによる計測値は、コントローラ２４に送信される。さらに、コントローラ２４は、発電ユニット２０およびソーラ電池パネル２６のそれぞれによる発電電力を、発電ユニット２０およびパワーコンディショナ２７から受信するように構成されてもよい。
【００２９】
なお、補助熱源機２３をガス燃焼方式の熱源機とした場合、そのガス使用量をガス流量計２９ｂで計測させることは可能であるが、必ずしもこれに限定されず、たとえば湯水加熱に要した熱量や燃料ガスの発熱量に基づいて演算する手法を用いることも可能である。
【００３０】
このように、コントローラ２４は、電力量計２９ａ、ガス流量計２９ｂ、水量計２９ｃ、電力計２９ｄおよび流量センサ２９ｅ等による計測値等に基づいて、「エネルギ量に関する定量情報」として、エネルギ使用や発電についての実績データ値を得ることができる。
【００３１】
リモコン２００は、たとえば台所や浴室の壁面に固定されて使用される壁掛け方式のものであり、樹脂製の筐体（図示せず）に格納されて構成される。すなわち、リモコン２００は複数個配置されてもよい。
【００３２】
リモコン２００は、制御部２１０と、スピーカ２１３と、マイク２１４と、通信部２２０と、操作部２３０と、表示部３００とを含む。
【００３３】
制御部２１０は、代表的にはマイクロコンピュータによって構成されて、リモコン２００の各部の動作制御やデータ処理を実行する。通信部２２０は、エネルギシステム１００のコントローラ２４との間でデータ通信を実行するように構成される。
【００３４】
表示部３００は、ユーザが視認できる態様で情報やデータを表示するために、液晶パネルあるいは有機ＥＬ（Electro  Luminescence）パネルなどを用いて構成される。代表的には、表示部３００は、所定部位におけるユーザの押圧動作を認識可能に構成できるタッチパネルによって構成される。表示部３００における表示内容は、制御部２１０によって制御される。
【００３５】
操作部２３０は、ユーザ指示を入力するための操作スイッチ（図示せず）を含んで構成される。操作部２３０は、上記タッチパネル上に操作ボタンの態様で表示された所定領域を含むように構成されてもよい。
【００３６】
スピーカ２１３は、制御部２１０から指令された音声データや音楽データを出力する。これにより、ユーザが聴認される情報を出力できる。また、マイク２１４およびスピーカ２１３を用いて、複数のリモコン２００間でユーザ同士の会話が可能となる。
【００３７】
なお、エネルギシステム１００のコントローラ２４および／またはリモコン２００の制御部２１０には、現在日時などを検知するためのカレンダ・クロック（図示せず）がさらに設けられる。
【００３８】
制御部２１０は、表示部３００を利用したデータ表示を制御することができる。これにより、タッチパネルを含む操作部２３０のスイッチ操作などに基づいて、エネルギ使用量や発電量などの「エネルギ量に関する定量情報」を表示部３００に表示することができる。すなわち、本実施の形態では、リモコン２００によって「表示装置」が構成される。
【００３９】
制御部２１０は、上記データ表示に必要となる「エネルギ量に関する定量情報」に係る実績データ値（以下、単に「エネルギデータ値」とも称する）を、コントローラ２４から通信によって取得することができる。あるいは、制御部２１０は、コントローラ２４を介さずに、エネルギシステム１００に関連する各種の計器類との直接の通信によって、これらのエネルギデータ値を取得することも可能である。たとえば、制御部２１０は、一定の周期Ｔ０（以下、「受信周期Ｔ０」とも称する）毎にエネルギデータ値を受信する。
【００４０】
また、制御部２１０は、電力などのエネルギ量を料金に換算するためのデータを記憶している。すなわち、エネルギデータ値は、一定期間での積算量を料金換算されて表示されてもよい。なお、料金換算に用いられるデータはエネルギシステム１００のコントローラ２４に記憶されてもよい。この場合には、制御部２１０からの要求に応じて、コントローラ２４から制御部２１０へ通信部２２０を経由して当該データが送信される。
【００４１】
次に、本実施の形態に従うエネルギ表示装置におけるデータ表示について、表示部３００に表示される画面の具体例を挙げて説明する。
【００４２】
図２は、本実施の形態に従う表示装置におけるデータ表示の画面例を示す概念図である。
【００４３】
図２（ａ）を参照して、表示部３００には、エネルギ量に関する定量情報を表示するための複数のアイコン３０１〜３０５と、表示内容を切換えるための操作ボタン２３１〜２３３と、売電および買電状態のいずれであるかを示すための境界線３２１および着色領域３２２とが表示される。
【００４４】
アイコン３０１は、発電ユニット２０およびソーラ電池パネル２６による発電電力Ｐｇ（ｋＷ）を数値表示する。アイコン３０２は、電気負荷２５による使用電力Ｐｃ（ｋＷ）を数値表示する。アイコン３０３は、買電電力（ｋＷ）または売電電力（ｋＷ）を数値表示する。特許文献２および３と同様に、アイコン３０１および３０２の表示位置は、発電電力Ｐｇおよび使用電力Ｐｃの間の大小関係に応じて、シーソー状に変化される。境界線３２１は、アイコン３０１〜３０３を結ぶ直線として表示される。さらに、着色領域３２２は、境界線３２１よりも下部側の領域が所定色で表示されることによって形成される。
【００４５】
アイコン３０４は、ガス使用量Ｖｇ（ｍ3／ｈ）を数値表示する。アイコン３０５は、給湯使用量Ｖｗ（ｌ／ｈ）を数値表示する。これらの表示値は、図２に例示するように、一定期間におけるエネルギ使用量または発生量を示す物理量であってもよく、あるいは、当該物理量の積算値に単価を乗算した料金が数値表示されてもよい。
【００４６】
すなわち、図２における、発電電力、使用電力、売電／買電電力、ガス使用量、給湯使用量は、「エネルギ量に関する定量情報」の一実施例に対応する。上述のように、制御部２１０は、コントローラ２４との通信により、あるいは各種の計器類との直接の通信によって、時間経過に伴って変化するこれらの定量情報の現在の実績値データ（エネルギデータ）を取得することができる。
【００４７】
境界線３２１および着色領域３２２の表示は、特許文献２および３と同様に制御することができる。たとえば、図２（ａ）のように、買電状態（発電電力Ｐｇ＜使用電力Ｐｃ）では、使用電力Ｐｃを表示するアイコン３０２が上部に表示される一方で、発電電力Ｐｇを表示するアイコン３０１が下部に表示されるので、境界線３２１は右上がりの直線となる。そして、着色領域３２２が、売電状態時とは異なる所定色（たとえば、橙色）で表示される。
【００４８】
一方で、図２（ｂ）のように、売電状態（発電電力Ｐｇ＞使用電力Ｐｃ）では、使用電力Ｐｃを表示するアイコン３０２が下部に表示される一方で、発電電力Ｐｇを表示するアイコン３０１が上部に表示されるので、境界線３２１は右下がりの直線となる。そして、着色領域３２２が、買電状態時とは異なる所定色（たとえば、青色）で表示される。このように、境界線３２１および着色領域３２２の表示により、エネルギシステム１００が買電状態および売電状態のいずれであるかを、ユーザは視覚的に直ちに把握することができる。
【００４９】
操作ボタン２３１〜２３３は、たとえば、タッチパネルで構成された表示部３００上に形成されたソフトスイッチである。あるいは、操作ボタン２３１〜２３３は、表示部３００とは別個に、押圧操作等によって動作するハードスイッチで構成されてもよい。
【００５０】
操作ボタン２３１は、エネルギ量に関する定量情報の表示を、数値表示およびグラフ表示の間で切換えるために設けられる。数値表示時にユーザが操作ボタン２３１を操作すると、表示部３００は、エネルギ量に関する定量情報を棒グラフによって表示する。一方で、棒グラフ表示時にユーザが操作ボタン２３１を操作すると、表示部３００は、エネルギ量に関する定量情報を数値によって表示する（図２）。
【００５１】
一般的には、棒グラフ表示は、一定期間内（たとえば、時間毎、日毎、あるいは月毎）でのエネルギ使用量、料金等の積算値同士を比較する目的で用いられるため、表示内容が急激に変化する傾向にはない。したがって、以下で説明する本実施の形態に従う表示制御は、図２のような数値表示への適用が好ましい。
【００５２】
操作ボタン２３２は、表示される定量情報を、一定期間におけるエネルギ使用量または発生量を示す物理量と、当該物理量の積算値に単価を乗算した料金との間で切換えるために設けられる。図２のような物理量の表示時にユーザが操作ボタン２３２を操作すると、表示部３００は、エネルギ量に関する定量情報を、料金を用いて数値表示する。一方で、料金の表示時に、ユーザが操作ボタン２３２を操作すると、表示部３００は、エネルギ量に関する定量情報を上記物理量を用いて数値表示する。また、ユーザが操作ボタン２３３を操作すると、表示部３００には所定のメニュー画面が表示される。
【００５３】
上述のように、発電電力、使用電力、売電／買電電力、ガス使用量、給湯使用量は、時間経過に応じて変化するので、表示される定量情報（数値）も時間経過に応じて更新される必要がある。
【００５４】
本実施の形態に従う表示装置では、定量情報を画面表示する際における表示内容（数値）の更新周期が可変に制御される。
【００５５】
図３には、本発明の実施の形態に従う表示装置における表示内容の更新に係る制御処理を説明するフローチャートが示される。図３に示される制御処理は、制御部２１０によって繰り返し実行される。たとえば、図３に示された制御処理は、エネルギデータ値の受信周期Ｔ０と同等の周期で実行される。
【００５６】
図３を参照して、制御部２１０は、ステップＳ１００により、表示部３００での現在の表示内容の表示時間を計測するための表示タイマ値Ｔをカウントアップする。たとえば、周期Ｔ０で図３の制御処理が実行される場合には、ステップＳ１００において、表示タイマ値Ｔは、現在値に対してＴ０加算される。
【００５７】
制御部２１０は、ステップＳ１１０では、ｎ個のエネルギデータ値Ｄ（１）〜Ｄ（ｎ）を取得する。たとえば、図２の表示例では、コントローラ２４から送信された、発電電力Ｐｇ、使用電力Ｐｃ、買電／売電電力Ｐｖ、ガス使用量Ｖｇおよび給湯使用量Ｖｗの５個（ｎ＝５）のエネルギデータ値Ｄ（１）〜Ｄ（５）の現在値が読込まれることによって、エネルギデータ値Ｄ（１）〜Ｄ（ｎ）が取得される。なお、エネルギデータ値の一部は、他のエネルギデータ値を用いた演算によって取得されてもよい。制御部２１０がステップＳ１１０の処理を実行することにより、「取得部」の機能を実現することができる。
【００５８】
制御部２１０は、ステップＳ１２０により、各エネルギデータ値について、現在の表示値からの変化量ΔＤ（１）〜ΔＤ（ｎ）を算出する。第ｉ番目（ｉ：１〜ｎの自然数）のエネルギデータ値の変化量ΔＤ（ｉ）は、下記の式（１）で示される。
【００５９】
ΔＤ（ｉ）＝｜Ｄ（ｉ）−Ｄｃ（ｉ）｜      …（１）
式（１）中におけるＤｃ（ｉ）は、第ｉ番目のエネルギデータ値についての、表示部３００での現在の表示値である。
【００６０】
さらに制御部２１０は、ステップＳ１３０により、ステップＳ１２０で算出された変化量ΔＤ（１）〜ΔＤ（ｎ）に応じて、更新周期Ｔｔｈを可変に設定する。具体的には、更新周期Ｔｔｈは、エネルギデータ値の現在の表示値からの変化量が大きいと、短く設定される。制御部２１０がステップＳ１３０の処理を実行することにより、「更新制御部」の機能が実現される。
【００６１】
エネルギデータ値の現在の表示値からの変化量の大小については、たとえば、下記の式（２）で定義される変化量パラメータＰｒｎによって総合的に評価することができる。
【００６２】
Ｐｒｎ＝Ｐ１・ΔＤ（１）＋Ｐ２・ΔＤ（２）＋…＋Ｐｎ・ΔＤ（ｎ）      …（２）
式（２）中におけるＰ１〜Ｐｎは、エネルギデータ値間での重み付けを調整するためのパラメータである。
【００６３】
図４には、更新周期Ｔｔｈの可変設定の一例を説明する概念図が示される。
図４を参照して、横軸に示された変化量パラメータＰｒｎが小さいときには、データ値が頻繁に変化するのを防止するために、更新周期Ｔｔｈは所定値Ｔｃｙに設定される。
【００６４】
変化量パラメータＰｒｎが大きくなるのに応じて、すなわち、エネルギデータ値の変化量が大きくなるのに応じて、更新周期Ｔｔｈは短くなるように変化される。そして、変化量パラメータＰｒｎが所定値Ｐ０以上となると、更新周期Ｔｔｈは、エネルギデータ値の読込周期に相当する受信周期Ｔ０と同等に設定される（Ｔｔｈ＝Ｔ０）。
【００６５】
再び図３を参照して、制御部２１０は、ステップＳ１４０により、ステップＳ１００でカウントアップされた表示タイマ値Ｔと、ステップＳ１３０で設定された更新周期Ｔｔｈとを比較する。そして、制御部２１０は、表示タイマ値Ｔが更新周期Ｔｔｈ以上となると（Ｓ１４０のＹＥＳ判定時）、ステップＳ１５０に処理を進めて、表示部３００における表示情報を、現在の値、すなわちステップＳ１１０で取得されたエネルギデータ値Ｄ（１）〜Ｄ（ｎ）に更新する。さらに、制御部２１０は、ステップＳ１６０により、表示タイマ値Ｔを０に初期化する。これにより、ステップＳ１５０で更新された表示内容の表示期間が、表示タイマ値Ｔによって新たにカウントされる。
【００６６】
一方で、制御部２１０は、表示タイマ値Ｔが更新周期Ｔｔｈに達していないとき（Ｓ１４０のＮＯ判定時）には、ステップＳ１７０に処理を進めて、現在の表示値を維持する。制御部２１０がステップＳ１４０〜Ｓ１６０の処理を実行することにより、「表示部」における表示を更新する機能が実現される。
【００６７】
再び図２を参照して、図２（ｂ）および（ｃ）には、図２（ａ）から表示内容が更新されたときの画面例が示される。
【００６８】
図２（ｂ）には、図２（ａ）の表示内容からのエネルギデータ値の変化量が比較的大きい場合の表示例が示される。一方で、図２（ｃ）には、図２（ａ）表示内容からのエネルギデータ値の変化量が比較的小さい場合の表示例が示される。
【００６９】
図２（ｂ）では、電気負荷２５による使用電力が２．０ｋｗ（図２（ａ））から０．５ｋｗに急激に変化している。表示情報の変化量が大きいため、図２（ａ）から図２（ｂ）へ表示を切換える更新周期は、Ｔｔｈ＝Ｔ１に設定される。
【００７０】
図２（ｂ）では、使用電力の急激な減少により、電力バランスが変化して買電状態から売電状態へ遷移しているため、アイコン３０３の表示内容も図２（ａ）から変化している。さらに、境界線３２１は、買電状態を示す右上がりの直線から、売電状態を示す右下がりの直線に変化し、着色領域３２２についても、買電状態を示す表示色（たとえば、橙色）から、売電状態を示す表示色（たとえば、青色）へ変化する。
【００７１】
これに対して、図２（ｃ）では、電気負荷２５による使用電力が２．０ｋｗ（図２（ａ））から１．９ｋｗへ変化している。また、買電状態が継続しているので、境界線３２１および着色領域３２２の表示についても、図２（ａ）から変化しない。
【００７２】
表示情報の変化量が小さいため、図２（ａ）から図２（ｃ）へ表示を切換える更新周期Ｔｔｈは、Ｔ１よりも長いＴ２に設定される（Ｔ２＞Ｔ１）。これにより、変化量が小さいにもかかわらず、表示値が頻繁に変わることを防止できる。
【００７３】
このように本実施の形態に従う表示装置によれば、エネルギに関連する定量情報を画面表示する際において、現在の表示値と現在値との変化量が大きいときには、表示の更新周期を短く設定する一方で、変化量が小さい場合には更新周期を長く設定することができる。したがって、変化量が小さいときに表示が頻繁に変わることによってユーザに煩わしさを感じさせること、および、変化量が大きいときに表示の更新の遅さにユーザが不満を感じることを抑制できる。この結果、エネルギ量に関する定量情報を時間経過に応じて適時に更新表示することができるので、ユーザの利便性を高めることができる。
【００７４】
なお、本実施の形態では、図２のように複数の定量情報が表示される構成において、各定量情報を一律に更新する例を説明したが、本実施の適用はこのようなケースに限定されるものではない。すなわち、単一の定量情報を表示する際に、図３と同様の制御処理によって、当該定量情報の表示値と現在値との変化量に応じて更新周期を可変に設定することができる。あるいは、複数の定量情報が同一画面に表示されている場合においても、定量情報毎、または、一部ずつの定量情報毎に、図３と同様の制御処理によって別個に可変設定された更新周期によって、表示を更新するようにしてもよい。
【００７５】
また、図２の例で表示対象とされた、発電電力、使用電力、売電／買電電力、ガス使用量、給湯使用量は、「エネルギ量に関する定量情報」の一例に過ぎず、時間経過に応じて変化するエネルギ量であれば、その定量情報について、上述した制御による表示対象として更新表示することが可能である。
【００７６】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００７７】
２０  発電ユニット、２１  加熱装置、２２  貯湯タンク、２３  補助熱源機、２４  コントローラ、２５  電気負荷、２６  ソーラ電池パネル、２７  パワーコンディショナ、２８  分電盤、２９ａ  電力量計、２９ｂ  ガス流量計、２９ｃ  水量計、２９ｄ  電力計、２９ｅ  流量センサ、１００  エネルギシステム、２００  リモートコントロール装置、２１０  制御部、２１３  スピーカ、２１４  マイク、２２０  通信部、２３０  操作部、２３１〜２３３  操作ボタン、３００  表示部、３０１〜３０５  アイコン、３２１  境界線、３２２  着色領域、Ｐｒｎ  変化量パラメータ、Ｔ０  受信周期、Ｔｔｈ  更新周期（表示）。
【図１】
0006641984.tif 000002
【図２】
0006641984.tif 000003
【図３】
0006641984.tif 000004
【図４】
0006641984.tif 000005